(57)【特許請求の範囲】
【請求項１】
食料調理チャンバにおける熱風の循環によって食料を調理する装置のための空気ガイド部材であって、前記空気ガイド部材は、
空気偏向構造と、
前記食料調理チャンバから残留物を収集するための保護領域と、
前記保護領域への伝導性熱伝達を制限するための熱絶縁要素と、
を有し、
前記空気偏向構造は、前記保護領域から逸れる偏向方向を具備する偏向表面を持ち、
前記保護領域の底面が、前記空気偏向構造の上方端高さよりも下にある、空気ガイド部材。
【請求項２】
前記空気偏向構造が、少なくとも部分的に、前記保護領域を囲む、請求項１記載の空気ガイド部材。
【請求項３】
前記空気偏向構造が、前記保護領域を周方向に囲む、請求項２記載の空気ガイド部材。
【請求項４】
前記保護領域が、妨げられていない開口を形成する、請求項１記載の空気ガイド部材。
【請求項５】
前記保護領域が、前記保護領域の底部開口を閉じるための底面を有する、請求項１記載の空気ガイド部材。
【請求項６】
前記底面が、前記空気偏向構造の下方端高さと前記空気偏向構造の上方端高さとの間に配置されている、請求項５記載の空気ガイド部材。
【請求項７】
前記底面が、前記空気偏向構造の下方端高さよりも下に配置されている、請求項５記載の空気ガイド部材。
【請求項８】
前記偏向表面が、基準とされる水平面に対するフロー方向において、０°乃至６０°の範囲における傾斜角を持つ、請求項１記載の空気ガイド部材。
【請求項９】
前記空気偏向構造が、凹状構造を形成する周縁部を有する、請求項１記載の空気ガイド部材。
【請求項１０】
前記熱絶縁要素が、シリコーンゲルでできている、請求項１記載の空気ガイド部材。
【請求項１１】
食料を調理するための装置であって、
熱風のフローを生成するためのシステムと、
複数の開口を具備する底部を持つ食料調理チャンバと、
前記底部より下に配置された、請求項１乃至１０のいずれか１項に記載の空気ガイド部材と、
前記空気ガイド部材に向かって前記熱風のフローをガイドするための空気ガイド手段と、
を有する、装置。
【請求項１２】
前記複数の開口が、前記保護領域の幅よりも小さい幅を持つ領域を規定する、請求項１１記載の装置。
【請求項１３】
前記空気ガイド部材が、前記装置から自由に取り外し可能である、請求項１１記載の装置。
【請求項１４】
前記装置が、
前記食料調理チャンバを囲む壁と、
前記壁の底部における凹状周縁部と、
を更に有し、
前記凹状周縁部が、前記空気ガイド部材の前記偏向表面に隣接する、請求項１１記載の装置。
【発明の詳細な説明】
【技術分野】
【０００１】
本発明は、熱風の循環によって食料を調理する装置のための空気ガイド部材、及び、当該空気ガイド部材を実装している食料調理装置に関する。
【背景技術】
【０００２】
例えば、揚げ物又は鶏肉などの食料を調理する空気ベースのフライヤが、知られている。ここで、食料を調理する熱は、熱風によって供給される。準備及び調理目的で食料を加熱するため、熱風のストリーム、又は、熱風のフローが、食料調理チャンバに配置された食料を通過するよう生成される。このタイプの機器は、家庭用環境において使用され得る。
【発明の概要】
【発明が解決しようとする課題】
【０００３】
しかしながら、かかる機器により、しばしば、調理手続き中、煙の生成が発生する。当該煙は、衛生、匂い、安全性の問題を考慮して、最小限に保たれることが要求される。煙の低減は、例えば、循環している熱風の温度を減少させることによって、達成され得る。しかしながら、幾つかの食料調理手続きでは、例えば、１６０℃などのより高温が、食料調理のために、なお必要である。
【課題を解決するための手段】
【０００４】
本発明の目的は、食料調理チャンバにおける熱風の循環によって食料を調理する装置のための改善された空気ガイド部材を提供することである。
【０００５】
本発明の目的は、独立形式請求項の要旨によって達成され、更なる実施形態が、従属形式請求項に組み込まれている。
【０００６】
本発明に従った空気ガイド部材は、空気偏向構造と、食料調理チャンバから残留物を収集するための保護領域と、を有し、空気偏向構造は、保護領域から逸れる偏向方向を具備する偏向表面を持つ。
【０００７】
この新規の空気ガイド部材は、空気ベースのフライヤ又はオーブンにおける、残留物（例えば、調理油、溶け出した脂肪・・・など）が堆積する領域の温度を低減するために、新規な熱風のフローパターンを供給する。調理油の煙が、高温の要素と接触することによって、通常生成されるため、本発明は、これらの調理油の煙の生成を防止又は低減する。
【０００８】
より具体的には、熱風を保護領域から遠ざける方向にガイドすることによって、保護領域は、比較的低い温度に保たれる。結果、残留物、特に、調理されている食品から自然に落ちる油及び粒子が、この保護領域に到達した場合に煙の生成を防止できるほど十分に低い温度を持つ当該保護領域に収集される。
【０００９】
好ましい実施形態では、空気偏向構造は、保護領域を少なくとも部分的に囲む。
【００１０】
この実施形態は、調理効率を増加させるために、熱風を共通領域に集中させる点で、好適である。
【００１１】
好ましい実施形態では、空気偏向構造は、保護領域を周方向に囲む。
【００１２】
この実施形態は、食料調理チャンバが円形である場合に好適である。
【００１３】
好ましい実施形態では、保護領域は、妨げられていない開口を形成する。
【００１４】
この実施形態は、残留物を収集するための収集表面として、空気ガイド部材が配置される装置の底部を使用することを可能にし、これにより、便利且つコスト効率のよい解決法をもたらす。
【００１５】
好ましい実施形態では、保護領域は、保護領域の底部開口を閉じるための底面８８を有する。
【００１６】
この実施形態は、空気ガイド部材自体において、残留物を便利に収集することを可能にする。
【００１７】
好ましい実施形態では、底面は、空気偏向構造の下方端高さと空気偏向構造の上方端高さとの間に配置される。
【００１８】
底面の位置を変更することは、底面の温度の変更を可能にする。上方端高さからの距離が増加する場合に、底面において、低い温度が得られるためである。従って、この特徴は、煙が、上記底面に落ちる残留物によって生成されないことを保証する。
【００１９】
好ましい実施形態では、底面は、空気偏向構造の下方端高さよりも下に配置される。
【００２０】
底面の位置を変更することは、底面の温度の変更を可能にする。上方端高さからの距離が増加する場合に、底面において、低い温度が得られるためである。従って、この特徴は、煙が、上記底面に落ちる残留物によって生成されないことを保証する。
【００２１】
好ましい実施形態では、偏向表面は、基準とされる水平面に対するフロー方向において、０°乃至６０°の範囲の傾斜角を持つ。
【００２２】
この傾斜角の値の範囲は、保護領域から熱風のフローを逸らすことを可能にし、結果、当該保護領域は、低温に保たれる。
【００２３】
好ましい実施形態では、空気偏向構造は、凹状構造を形成している周縁部を有する。
【００２４】
このことは、空気ガイド部材の入口における空気乱流を低減するとともに、食料調理チャンバにおける滑らかな空気フロー循環を保障することを可能にする。
【００２５】
好ましい実施形態では、空気ガイド部材は、保護領域への伝導性熱伝達を制限するための熱絶縁要素を更に有する。
【００２６】
このことは、空気ガイド部材の構造から保護領域への熱伝達を制限することを可能にし、結果、保護領域の温度が低温に保たれることを保証する。
【００２７】
好ましい実施形態では、熱絶縁要素は、シリコーンでできている。
【００２８】
シリコーンゲルの使用は、熱伝達を制限するのにコスト効率の良い解決法である。
【００２９】
また、本発明は、熱風のフローを生成するためのシステムと、複数の開口を具備する底部を持つ食料調理チャンバと、前記底部より下に配置された、本発明に従った空気ガイド部材と、空気ガイド部材に向かって熱風のフローをガイドするための空気ガイド手段と、を有する装置にも適用する。
【００３０】
この装置は、熱風の循環による食料調理を可能にする。本発明に従った空気ガイド部材は、保護領域の上にある、食料調理チャンバの底板に向かって直接的に、熱風のフローを方向付けることを可能にする。この低温の保護領域に落ちる残留物は、従って、調理油の煙を生成しない。
【００３１】
好ましい実施形態では、複数の開口は、保護領域の幅よりも小さい幅を持つ領域を規定する。
【００３２】
このことは、全ての残留物が保護領域に落ちることを保証する。
【００３３】
好ましい実施形態では、空気ガイド部材は、装置から自由に取り外し可能である。
【００３４】
取り外し可能な空気ガイド部材を持つことは、洗浄目的に関して便利である。さらに、取り外し可能な空気ガイド部材は、消費者に対して付属品として便利に提供され得る。
【００３５】
好ましい実施形態では、上記装置は、食料調理チャンバを囲む壁と、壁の底部における凹状周縁部と、を有し、当該凹状周縁部が、空気ガイド部材の偏向表面に隣接している。
【００３６】
この構成は、空気ガイド部材の入り口における空気乱流を減少させる点で有利である。
【００３７】
本発明のこれらの態様及び他の態様が、以下説明される実施形態を参照して、明確且つ明らかになるであろう。
【図面の簡単な説明】
【００３８】
本発明の例示的な実施形態が、添付の図面を参照して、以下において説明される。
【図１】図１は、本発明に従った空気ガイド部材の断面を図示している。
【図２Ａ】図２Ａは、本発明に従った空気ガイド部材の第１の例の透視図を示している。
【図２Ｂ】図２Ｂは、図２Ａに示される空気ガイド部材の上面図を示している。
【図３Ａ】図３Ａは、本発明に従った空気ガイド部材の第２の例の透視図を示している。
【図３Ｂ】図３Ｂは、図３Ａに示される空気ガイド部材の上面図を示している。
【図４Ａ】図４Ａは、底部を有する本発明に従った空気ガイド部材の断面を示している。
【図４Ｂ】図４Ｂは、底部を有する本発明に従った空気ガイド部材の断面を示している。
【図４Ｃ】図４Ｃは、底部を有する本発明に従った空気ガイド部材の断面を示している。
【図５Ａ】図５Ａは、凹状周縁構造を有する本発明に従った空気ガイド部材の断面を示している。
【図５Ｂ】図５Ｂは、凹状周縁構造を有する本発明に従った空気ガイド部材の断面を示している。
【図５Ｃ】図５Ｃは、凹状周縁構造を有する本発明に従った空気ガイド部材の断面を示している。
【図６Ａ】図６Ａは、熱絶縁要素を有する本発明に従った空気ガイド部材の断面を示している。
【図６Ｂ】図６Ｂは、熱絶縁要素を有する本発明に従った空気ガイド部材の断面を示している。
【図６Ｃ】図６Ｃは、熱絶縁要素を有する本発明に従った空気ガイド部材の断面を示している。
【図６Ｄ】図６Ｄは、熱絶縁要素を有する本発明に従った空気ガイド部材の断面を示している。
【図６Ｅ】図６Ｅは、熱絶縁要素を有する本発明に従った空気ガイド部材の断面を示している。
【図６Ｆ】図６Ｆは、熱絶縁要素を有する本発明に従った空気ガイド部材の断面を示している。
【図７Ａ】図７Ａは、本発明に従った空気ガイド部材を有する本発明に従った様々な装置を示している。
【図７Ｂ】図７Ｂは、本発明に従った空気ガイド部材を有する本発明に従った様々な装置を示している。
【図７Ｃ】図７Ｃは、本発明に従った空気ガイド部材を有する本発明に従った様々な装置を示している。
【図７Ｄ】図７Ｄは、本発明に従った空気ガイド部材を有する本発明に従った様々な装置を示している。
【図７Ｅ】図７Ｅは、本発明に従った空気ガイド部材を有する本発明に従った様々な装置を示している。
【図８】図８は、本発明に従った空気ガイド部材を有する本発明に従った様々な装置を示している。
【発明を実施するための形態】
【００３９】
図１は、熱風の循環によって食料を調理する装置のための空気ガイド部材を図示している。空気ガイド部材１０は、空気偏向構造１２と、保護領域１４と、を有する。保護領域１４は、保護領域１４の上の領域１６に配置され得る食料調理チャンバからの残留物を収集するように較正されている。空気偏向構造１２は、例えば、アルミニウム又はステンレス鋼などの耐熱材料から作られている。好ましくは、空気偏向構造１２は、低熱伝導率材料から作られる。
【００４０】
空気偏向構造１２は、矢印２０により図示される偏向方向を具備する偏向表面１８を持つ。偏向表面１８は、保護領域１４の方向へ近づく空気フロー２２をガイドするために、保護領域１４から逸れているが、空気フローは、保護領域１４が、他の矢印２４により示される、最終的な主な空気フローの外側に配置されるように、保護領域１４から逸れる方向へガイドされている。偏向方向２０は、保護領域１４の上の領域２６に通じており、当該領域２６には、食料調理チャンバの空気透過性底面２８が配置され得る。
【００４１】
好適には、偏向表面１８は、基準とされる水平面（保護領域１４の主な水平面など）に対するフロー方向において０°乃至６０°の範囲にある傾斜角５２を持つ。
【００４２】
好適には、空気偏向構造１２は、少なくとも部分的に、保護領域１４を囲む。
【００４３】
図２Ａは、保護領域１４を部分的に囲んでいる空気ガイド部材１０の第１の例の透視図を示しており、図２Ｂは、対応する上面図を示している。この特定の実施形態では、空気ガイド部材１０の全体形状が、１８０°を越えて延在しているアーチ部であり、空気偏向構造１２が、保護領域１４を周方向に囲んでいる。
【００４４】
図３Ａは、保護領域１４を全体的に囲んでいる空気ガイド部材１０の第２の例の透視図を示しており、図３Ｂは、対応する上面図を示している。この特定の実施形態では、空気ガイド部材１０の全体形状が、円であり、空気偏向構造１２が、保護領域１４を周方向に囲んでいる。
【００４５】
主に、空気ガイド部材が使用される予定の装置の形状に依存して、正方形、長方形などの、丸みを帯びた形状、又は、湾曲した形状以外の形状が、空気ガイド部材のために使用され得ることに留意すべきである。
【００４６】
好ましい実施形態によれば、保護領域１４は、妨げられていない開口を形成する。このタイプの空気ガイド部材は、例えば、図２Ａ、図２Ｂ、図３Ａ、図３Ｂによって、図示されている。このタイプの空気ガイド部材は、空気ガイド部材を受ける装置の底面上に配置され、これにより、収集容積が、食料調理の間に残留物を受けるため、保護領域の内側に作られる。このタイプの空気ガイド部材が、以下において更に説明される。
【００４７】
あるいは、保護領域１４は、図４Ａ、図４Ｂ、図４Ｃに図示されるように、保護領域１４の底面開口を閉じるための底面８８を有する。保護領域１４の底面開口を閉じることによって、収集容積３０が、食料調理の間に残留物を受けるため、保護領域の内側に作られる。底面８８は、平坦なシートを形成する。底面８８は、例えば、アルミニウム又はステンレス鋼などの耐熱材料から作られる。好ましくは、底面８８は、低熱伝導率材料から作られる。好ましくは、底面８８は、底面８８による熱吸収を制限するために、１ｍｍ以下の厚みを持つ。
【００４８】
底面８８は、例えば、空気偏向構造１２の内部側面に対して平坦材料を溶接することによって、又は、空気偏向構造１２と底面８８とを一緒に成形することによって隣接する空気偏向構造１２に固定される。あるいは、底面８８は、空気偏向構造１２と接しているが、別個の要素として、空気偏向構造１２から取り外し可能である。この場合、底面８８は、空気偏向構造１２の内部側面に固定された支持要素（図示省略）によって支持される。
【００４９】
好ましくは、底面８８は、収集容積３０の堆積を増加又は減少させるため、保護領域１４の内側の様々な深さＤで配置される。増加された収集容積３０は、底面８８の温度を減少させるのに役立ち、これにより、残留物が底面８８上に落ちるときの煙の発生を最小化する。
【００５０】
図４Ａは、底面８８が、空気偏向構造１２の上方端高さ９２からの深さＤ＝Ｄ１に配置される例を示している。これにより、底面８８は、空気偏向構造１２の下方端高さ９０と空気偏向構造１２の上方端高さ９２との間にある。
【００５１】
図４Ｂは、底面８８が、空気偏向構造１２の上方端高さ９２からの深さＤ＝Ｄ２に配置される例を示している。これにより、底面８８は、空気偏向構造１２の下方端高さ９０と位置決めされている。
【００５２】
図４Ｃは、底面８８が、空気偏向構造１２の上方端高さ９２からの深さＤ＝Ｄ３に配置される例を示している。これにより、底面８８は、空気偏向構造１２の下方端高さ９０よりも下にある。
【００５３】
好ましくは、深さＤは、好適には１０％乃至２０％の範囲にある、保護領域１４の幅１２４の割合である。例えば、深さＤは、２００ｍｍの幅１２４を持つ保護領域１４に関し、２０ｍｍ乃至４０ｍｍの範囲にある。
【００５４】
図５Ａに図示される好ましい実施形態によれば、偏向表面構造１２は、凹状構造を形成している周縁部６４（点線円）を有する。この実施形態では、周縁部６４は、空気偏向構造１２と一体的に供給されている。凹状構造は、下方に延在している部分５８、保護領域１４から逸れる方向に上方へ延在している部分６０、及び、下方に延在している部分５８と上方に延在している部分６０とを接続する移行部分６２によって形成されている。
【００５５】
下方に延在している部分５８は、矢印２２及び２４によって図示されるように、空気乱流を低減させつつ、移行部分６２を介して、上方に延在している部分６０に、空気フローをガイドする。これにより、保護領域１４から逸れる層流の空気フローをもたらしている。好ましくは、下方に延在している部分５８と上方に延在している部分６０との間に滑らかな移行部を作るため、移行部分６２は、丸みを帯びた又は湾曲した空気ガイド表面部分を備えている。
【００５６】
図５Ｂは、周縁部６４が、平面材料でできた空気偏向構造における凹状の溝によって形成される代替的な実施形態を示している。対応している３次元図の例が、図５Ｃに図示されており、円形状を持つ空気ガイド部材に対応している。
【００５７】
本発明の好ましい実施形態によれば、空気ガイド部材は、保護領域１４への伝導性熱伝達を制限するための熱絶縁要素を有する。
【００５８】
図６Ａは、熱絶縁要素７８が空気偏向構造１２の内側に沿って配置された実施形態を図示している。この熱絶縁要素７８は、空気偏向構造１２から保護領域１４への熱伝達を制限する。この実施形態は、特に、斜線で網掛けされた領域によって図示された、複数の短い垂直セグメント及び底面８８によって図示される絶縁要素７８を持つ本発明に従った空気ガイド部材を図示している図６Ｂの上面図に示されるように、底面８８が、空気偏向構造１２の上方端高さから所与の深さに配置された場合に関連している。
【００５９】
図６Ｃは、熱絶縁要素７８が空気偏向構造１２よりも下に配置された実施形態を図示している。この実施形態は、特に、食料を調理するための装置の底部と接触する（水平方向の点線で図示された）妨げられていない開口を形成している保護領域を持つ空気ガイド部材に関連しており、斜線で網掛けされた領域によって図示される絶縁要素７８を持つ本発明に従った空気ガイド部材を図示する図６Ｄの透視図にも示されている。
【００６０】
図６Ｅは、熱絶縁要素７８が底面８８に接続された側部垂直壁８４と空気偏向構造１２の内側との間に配置された実施形態を図示している。この実施形態は、斜線で網掛けされた領域によって図示された、複数の短い垂直セグメント及び底面８８によって図示される絶縁要素７８を持つ本発明に従った空気ガイド部材を図示する図６Ｆの上面図に示されるように、特に、底面８８（及び、その側部垂直壁８４）が空気偏向構造１２から取り外し可能である場合に関連している。
【００６１】
好ましくは、熱絶縁要素７８は、シリコーンゲルでできている、又は、同等の特性をもつ材料でできている。例えば、シリコーンゲルの厚さは、１ｍｍ乃至３ｍｍの範囲にある。
【００６２】
図７Ａは、食料を調理するための、本発明に従った装置１００を示している。
【００６３】
当該装置は、（様々な矢印１２１によって図示される）熱風のフローを生成するためのシステム１０１と、（水平点線セグメントによって図示され、例えば、網状の平坦な材料でできている）複数の開口１０４を具備する底部１０３を持つ食料調理チャンバ１０２と、底部１０３より下に配置される、本発明に従った空気ガイド部材１０５と、熱風のフローを空気ガイド部材１０５に向かってガイドするための空気ガイド手段１０６と、を有する。空気ガイド部材１０５は、本発明に従った前述の空気ガイド部材に対応している。例えば、システム１０１は、ファン１０７と、加熱素子１０８と、を有する。例えば、空気ガイド手段１０６は、食料調理チャンバ１０２の側面にあるチャネル又は空気路に対応している。食品１０９は、複数の開口１０４を具備する底部１０３上に配置され、これにより、装置の内側で循環される熱風が、調理のために、食品に向かって流れる一方、当該フローは、空気ガイド部材１０５の保護領域１４から逸れる。例えば、食品１０９は、ポテトチップス、鶏手羽肉、又は、熱風により調理され得る任意の他の食料に対応している。調理中、食品１０９が、加熱されて脂肪滴などの残留物を生成する場合、これらの残留物は、保護領域１４の底部８８上に落ちる。保護領域１４は、他の部分よりも極めて低い温度に保たれているため、残留物が底部８８と接触した場合の油による煙の発生が、回避又は低減され得る。同様に、保護領域１４がいかなる底部も有さない場合、残留物は、装置１００の底部１１０上に落ちる。食料が調理された場合、食料は、装置の側部の開口を介して、例えば、引き出し機構（図示省略）を介して、装置から取り出される。
【００６４】
例えば、装置が、家庭内で使用される場合、２０ｌ／ｓの風量の熱風のフローが使用され、空気の温度は、特に、８０℃乃至２５０℃の範囲にある。
【００６５】
食料調理チャンバ１０２の底面１０３は、空気ガイド部材１０５の底部８８から（又は、空気ガイド部材１０５がいかなる底部も有さず妨げられていない開口を形成する場合、装置１００の底部１１０から）距離Ｌの位置に配置される。好ましくは、当該距離Ｌは、保護領域１４の幅１２５の割合であり、好適には、その１０％乃至２０％の範囲にある。例えば、２００ｍｍの幅１２５を持つ保護領域１４に関して、距離Ｌは、２０ｍｍ乃至４０ｍｍの範囲にある。
【００６６】
空気ガイド部材１０５は、例えば、溶接、ネジ、又は、リベットにより、装置１００の底部１１０上に固定され得る。あるいは、空気ガイド部材１０５は、底部１１０から自由に取り外し可能でありつつ、装置１００の底部１１０上に配置される。このことは、洗浄を簡単にするために、又は、他のタイプの空気ガイド部材との交換のために、ユーザが、空気ガイド部材１０５を装置から取り外しできるようにする。
【００６７】
好ましくは、底部１０３の複数の開口１０４は、保護領域１４の幅より小さい（又は、保護領域１４の幅以下の）幅１２４を持つ領域を規定する。このことは、保護領域１４の幅１２５（図示省略）より小さい（又は、それ以下の）底部１０３の幅を持つことによって、又は、図示されるように、複数の開口１０４の幅を制限するため、底部１０３の周縁において追加要素１２６を配置することによって、なされ得る。この場合、追加要素１２６は、例えば、いかなる開口も有さない平坦材料でできている。
【００６８】
図７Ｂは、図５Ｃにより説明されたような空気ガイド部材１０５を実装している本発明に従った装置１００を図示している。
【００６９】
図７Ｃは、図６ＢＣにより説明されたような空気ガイド部材１０５を実装している本発明に従った装置１００を図示している。
【００７０】
図７Ｄは、食料調理チャンバ１０２を囲む壁１２３と、壁１２３の底部において空気ガイド部材１０５の偏向表面１８に隣接する凹状周縁部１２２と、を有する、本発明に従った装置１００を図示している。これは、図５Ａ及び図５Ｂを参照して説明されたように、凹状偏向表面の全体を形成しつつ、偏向表面１８の表面に延在することを可能にしている。
【００７１】
図７Ｅは、凹状周縁部１２２が装置の丸みを帯びた角度に対応する、本発明に従った装置１００を図示している。この構成は、装置を成形する際、壁が既に当該凹状周縁部１２２を作成している場合に好適である。
【００７２】
図８は、異なるアーキテクチャを持つ、本発明に従った他の装置を示している。
【００７３】
当該装置は、食料調理チャンバ１６２の近傍に配置されたファン１６０を有する。加熱素子１６６が供給されている。結果として、熱風のフロー１６８が、装置の内側で循環される。食料調理チャンバは、熱風のフローによって調理される食品１６４を受けるため、複数の開口を具備する底部１６３を有する。空気ガイド部材１０５は、上述されたようなタイプのものであり、保護領域１４の上で熱風のストリームを偏向することを可能にしている。従って、保護領域１４は、主なフロー方向１７０の外側に配置されている。当該装置では、空気ガイド部材が、全体的に長方形状（又は、正方形状）を持ち、空気ガイド部材が、この長方形状の一辺に沿って配置されている。
【００７４】
開示の実施形態に対する他の変形が、図面、開示、及び、添付の請求項の研究から、本発明を実施する際、当該技術分野における当業者によって、理解及び実施され得る。請求項中、「有する」なる用語は、他の要素又はステップを除外せず、単数形は、複数あることを除外しない。単一の要素又はユニットが、請求項い規定された幾つかの項目の機能を果たしてもよい。特定の特徴が相互に異なる従属請求項において言及されているという単なる事実は、これらの特徴の組み合わせが好適に用いられないということを示すものではない。請求項中の任意の参照符号は、本発明の範囲を限定するものとして解釈されるべきではない。
【図１】
0006527913.tif 000002
【図２Ａ】
0006527913.tif 000003
【図２Ｂ】
0006527913.tif 000004
【図３Ａ】
0006527913.tif 000005
【図３Ｂ】
0006527913.tif 000006
【図４Ａ】
0006527913.tif 000007
【図４Ｂ】
0006527913.tif 000008
【図４Ｃ】
0006527913.tif 000009
【図５Ａ】
0006527913.tif 000010
【図５Ｂ】
0006527913.tif 000011
【図５Ｃ】
0006527913.tif 000012
【図６Ａ】
0006527913.tif 000013
【図６Ｂ】
0006527913.tif 000014
【図６Ｃ】
0006527913.tif 000015
【図６Ｄ】
0006527913.tif 000016
【図６Ｅ】
0006527913.tif 000017
【図６Ｆ】
0006527913.tif 000018
【図７Ａ】
0006527913.tif 000019
【図７Ｂ】
0006527913.tif 000020
【図７Ｃ】
0006527913.tif 000021
【図７Ｄ】
0006527913.tif 000022
【図７Ｅ】
0006527913.tif 000023
【図８】
0006527913.tif 000024